(57)【要約】【課題】  使用者が、本体から離れたところでも、本体の運転、停止等の操作を行える使用性の高い酸素富化機を提供することを目的とする。【解決手段】  酸素富化手段と、前記酸素富化手段の動作を制御する操作手段５１とを備え、前記操作手段５１を本体１から分離して配設した酸素富化機で、使用者が、本体１から離れたところでも、本体１の運転、停止等の操作を行え、酸素富化状態の空気を吸引することができるる使用性の高い酸素富化機を提供できる。【選択図】  図１
2005046416.tif 000002
【特許請求の範囲】
【請求項１】
酸素富化手段と、前記酸素富化手段にて酸素富化状態とされた空気を本体から吐出する吐出部と、前記酸素富化手段の動作を制御する操作手段とを備え、前記操作手段を本体から分離して配設した酸素富化機。
【請求項２】
操作手段及び本体を、家具や器具に着脱自在に配設した請求項１記載の酸素富化機。
【請求項３】
操作手段からの制御信号を伝達または送受信する制御手段を、本体内に配設した請求項１または２記載の酸素富化機。
【請求項４】
酸素富化状態の空気を、使用者が吸引する吐出手段を設け、前記吐出手段と操作手段とを分離して設けた請求項１〜３のいずれか１項に記載の酸素富化機。
【請求項５】
吐出手段を操作手段の近傍に設けた請求項４記載の酸素富化機。
【請求項６】
操作手段と本体間に通信手段を設け、前記通信手段は、本体及び／または操作手段と着脱自在な構成とした請求項１〜５のいずれか１項に記載の酸素富化機。
【請求項７】
吐出手段は、連結管を介して本体に連結されるとともに、前記連結管は、前記本体及び／または前記吐出手段と着脱自在な構成とした請求項１〜６のいずれか１項に記載の酸素富化機。
【請求項８】
操作手段に、本体の運転状態を表示する表示部を設けた請求項１〜７のいずれか１項に記載の酸素富化機。
【請求項９】
操作手段を、本体に着脱自在な構成とした請求項１〜８のいずれか１項に記載の酸素富化機。
【請求項１０】
酸素富化手段と、前記酸素富化手段にて酸素富化状態とされた空気を本体から吐出する吐出部と、前記酸素富化手段の動作を制御する操作手段とを備え、前記操作手段を家具や器具に配設するとともに、前記操作手段を使用者が直接操作できる酸素富化機。
【請求項１１】
吐出部に着脱自在で、酸素富化状態の空気を使用者が吸引する吐出手段を有し、本体を家具や器具に配設するとともに、使用者が吐出部に直接触れることができる請求項１０記載の酸素富化機。
【請求項１２】
家具や器具の外表面に操作手段を覆う開閉自在の蓋体を設け、前記蓋体は開口部を有するとともに、前記開口部を介して、前記操作手段を使用者が直接操作できる請求項１０記載の酸素富化機。
【請求項１３】
家具や器具の外表面に本体を覆う開閉自在の蓋体を設け、前記蓋体は開口部を有するとともに、前記開口部を介して、使用者が吐出部に直接触れることができる請求項１１記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機としては、空気中の酸素を濃縮して酸素富化空気を発生させる装置本体と、これに接続された酸素吐出部と、音声発生源と、ヘッドホンタイプの音声出力部等を備え、前記酸素吐出部と前記音声出力部を一体にし、前記酸素吐出部を人体の口の部分に位置させることで酸素吸入できるようにしてある（例えば、特許文献１参照）。
【特許文献１】特開平３−６３０６７号公報
【発明の開示】
【発明が解決しようとする課題】
【０００３】
しかしながら前記従来の構成においては、机の上に本体を置くか、机の近くの床面に本体を置いて椅子に座ってくつろぎながら或いは、勉強などの学習や読書をしながら吐出手段である酸素吐出部を人体の口の部分に位置させて使用するか、近くに本体を置いたソファーに座って同様に使用するわけであるが、本体が邪魔であるという課題があった。また、本体の運転、停止等の操作を本体まで手を伸ばさなければ出来ないという課題があった。
【０００４】
本発明は、前記従来の課題を解決するもので、使用者が、本体から離れたところでも、本体の運転、停止等の操作を行える使用性の高い酸素富化機を提供することを目的とする。
【課題を解決するための手段】
【０００５】
前記従来の課題を解決するために本発明は、酸素富化手段と、前記酸素富化手段にて酸素富化状態とされた空気を本体から吐出する吐出部と、前記酸素富化手段の動作を制御する操作手段とを備え、前記操作手段を本体から分離して配設した酸素富化機で、使用者が、本体から離れたところでも、本体の運転、停止等の操作を行える使用性の高い酸素富化機を提供できる。
【０００６】
また、酸素富化手段と、前記酸素富化手段にて酸素富化状態とされた空気を本体から吐出する吐出部と、前記酸素富化手段の動作を制御する操作手段とを備え、前記操作手段を家具や器具に配設するとともに、前記操作手段を使用者が直接操作できる酸素富化機で、家具の表面に露出した操作部を、使用者が直接操作して本体の運転操作を行うことができる。
【発明の効果】
【０００７】
以上のように本発明によれば、使用者が、本体から離れたところでも、本体の運転、停止等の操作を行える使用性の高い酸素富化機を提供できる。
【発明を実施するための最良の形態】
【０００８】
第１の発明は、酸素富化手段と、前記酸素富化手段にて酸素富化状態とされた空気を本体から吐出する吐出部と、前記酸素富化手段の動作を制御する操作手段とを備え、前記操作手段を本体から分離して配設した酸素富化機で、使用者が、本体から離れたところでも、本体の運転、停止等の操作を行える使用性の高い酸素富化機を提供できる。
【０００９】
第２の発明は、操作手段及び本体を、家具や器具に着脱自在に配設したもので、ユニット化された操作手段及び本体を、各種の机や椅子、ソファー等の家具の中や健康器具等の器具の中に着脱自在に取り付けて使用することができる効果がある。
【００１０】
第３の発明は、操作手段からの制御信号を伝達または送受信する制御手段を、本体内に配設したもので、本体内に別に制御手段を設けることにより、本体から分離する操作手段を小型化することができる。また、本体内の制御手段と、本体から分離した操作手段をワイヤレスとすることができる効果がある。
【００１１】
第４の発明は、酸素富化状態の空気を、使用者が吸引する吐出手段を設け、前記吐出手段と操作手段とを分離して設けたもので、本体の運転、停止等の制御操作を行う操作手段の位置に関係なく酸素富化状態の空気を吸引することができる効果がある。
第５の発明は、吐出手段を操作手段の近傍に設けたもので、本体から離れたところから本体の運転、停止等の制御操作を行うことができると共に酸素富化状態の空気を吸引することができる効果がある。
【００１２】
第６の発明は、操作手段と本体間に通信手段を設け、前記通信手段は、本体及び／または操作手段と着脱自在な構成としたもので、操作手段と本体間の配線処理の作業を容易に行うことができる効果がある。
【００１３】
第７の発明は、吐出手段は、連結管を介して本体に連結されるとともに、前記連結管は、前記本体及び／または前記吐出手段と着脱自在な構成としたもので、吐出手段と本体間の連結管の連結作業を容易に行うことができる効果がある。
【００１４】
第８の発明は、操作手段に、本体の運転状態を表示する表示部を設けたもので、操作手段を確認することで本体の運転状態を確認することができる効果がある。
【００１５】
第９の発明は、操作手段を、本体に着脱自在な構成としたもので、操作手段を各種の机や椅子、ソファー等の家具に取り付けて使用しない場合は、本体に取り付けて使用することもできる効果がある。
【００１６】
第１０の発明は、酸素富化手段と、前記酸素富化手段にて酸素富化状態とされた空気を本体から吐出する吐出部と、前記酸素富化手段の動作を制御する操作手段とを備え、前記操作手段を家具や器具に配設するとともに、前記操作手段を使用者が直接操作できるもので、机表面に露出した操作部を操作して本体の運転操作を行うことができる効果がある。
【００１７】
第１１の発明は、吐出部に着脱自在で、酸素富化状態の空気を使用者が吸引する吐出手段を有し、本体を家具や器具に配設するとともに、使用者が吐出部に直接触れることができるもので、机表面に露出した吐出部に吐出手段を連結して使用することができる効果がある。
【００１８】
第１２の発明は、家具や器具の外表面に操作手段を覆う開閉自在の蓋体を設け、前記蓋体は開口部を有するとともに、前記開口部を介して、前記操作手段を使用者が直接操作できるもので、開口部を介して操作手段が机等の家具の表面に臨むようにし、また蓋体を開閉することで本体の出し入れを容易に行うことができる効果がある。
【００１９】
第１３の発明は、家具や器具の外表面に本体を覆う開閉自在の蓋体を設け、前記蓋体は開口部を有するとともに、前記開口部を介して、使用者が吐出部に直接触れることができるもので、開口部を介して吐出部が机等の家具の表面に臨むようにし、また蓋体を開閉することで本体の出し入れを容易に行うことができる効果がある。
【００２０】
以下、本発明の実施の形態について、図面を参照しながら説明する。なお、この実施の形態によって本発明が限定されるものではない。
【００２１】
（実施の形態１）
以下、本発明の第１の実施の形態について図面を用いて説明する。
【００２２】
図１から図１９において、本体１の内部には、酸素の濃度を高め、いわゆる酸素富化空気を発生する。例えば酸素富化膜ユニット等の酸素富化手段（以下、「酸素富化膜ユニット」と称す）２を設けている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット２を通過後の酸素富化空気においては、酸素が占める割合が約３０％（窒素約７０％）となる。
【００２３】
また、前記酸素富化膜ユニット２は、図８、図９に示す如くメッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００２４】
また、本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するためのモーターファン等の送風部（以下、「ファン」と称す）９を有している。また前記ファン９は、酸素富化膜ユニット２の下流側で、排気口８の近傍に設けられており、ファン９に対して、酸素富化膜ユニット２の反対側には回路２０を基板がフレーム３と平行な方向になるように取り付けられている。
【００２５】
１０はポンプ等の吸引手段（以下、「ポンプ」と称す）で、本体１内の酸素富化膜ユニット２の下方に設けられ、回転軸の両端に冷却用のファン１０ｂを有し、本体１の冷却用吸気口３６より外気を吸引してモーター１０ａを冷却すると共に、酸素富化膜ユニット２の周辺の空気を酸素富化膜４からフレーム３の通路内に吸引して下流側に送る。そして更にこのポンプ１０は、酸素富化膜４を通過した後の酸素富化空気を、下流側の消音パイプ１１を介して、本体１の側面に設けられた吐出部１２に送り、さらに吐出部１２と連結される後述の「酸素富化空気吐出手段」に送り込んでいる。また前記ポンプ１０には、酸素富化膜４の通過圧損に対抗して酸素富化空気の流量を稼ぐために運転時の圧力が高いベローズポンプが用いられている。
【００２６】
更に前記ポンプ１０は図６に示す如く板金３７に取りつけられ、防振材３８、３９を介して本体１の底部ボスに嵌合して取り付けられている。ボスからの抜けを防止するワッシャ４０、ビス４１で留められている。さらに本体１は防振機能を持つ脚４２を底面に設けている。ポンプ１０の駆動源であるモータ１０ａの過熱防止のための温度ヒューズ４３はクッション４５によってモータ１０ａに接触する方向に付勢して取り付けられている。
【００２７】
１４は本体１を机等の家具に取り付ける為の取付け具であり、回転軸部１５を中心に回動自在に設けられている。また１６、１７は、内ケース左、内ケース右であり、酸素富化膜ユニット２とポンプ１０を内蔵する内ケースを構成し、それぞれの上方に取付け具１４の回転軸部１５を直接受ける軸受け部１８、１９を一体に設けている。
【００２８】
また、図１３の要部概略構成図に示す如く、本体１内のポンプ１０と、酸素富化膜ユニット２のユニット排出口６との間の経路において、外気導入切替用の電磁弁４７を有し、運転終了前に約１分間、電磁弁４７を開いて酸素富化膜４を通過していない外気を吸入してポンプ１０により下流側に送る送風運転を行なうことにより、配管内等に滞留した高湿度の空気を換気し、水滴が発生した場合は、後述する「液だまり」まで追い出し、途中の経路が乾きやすいように構成してある。また、図１３に示すように外気導入切替用の電磁弁４７の上流には、ＨＥＰＡフィルター４８が設けられており、外気を導入する際に、前記ＨＥＰＡフィルター４８により、０．３ミクロンの粒子を９９．７％除去できるように構成されている。なお、上記送風運転はタイマーによる通常運転の終了後、所定（この実施の形態では７秒）時間の停止状態を経て自動的に実行される。またタイマーによる通常運転を途中で停止するため切スイッチを操作した時も同様に送風運転を経て停止する。
【００２９】
一方、図１０、図１１に示す１３は、本体１側面に回動可能に取り付けた曲がり管によって構成された吐出部１２または、操作手段である操作制御ユニット５１に設けられた吐出部１２に送られた酸素富化空気を、使用者に供給するためのヘッドセットユニット等の酸素富化空気吐出手段（以下、「ヘッドセットユニット」と称す）であり、前記ヘッドセットユニット１３は使用者が酸素富化空気を吸引するための吐出部２１を有している。また、本体１の側面に設けた吐出部１２または、操作制御ユニット５１に設けられた吐出部１２とヘッドセットユニット１３との間の経路には、液だまり２２と、吐出部１２と前記液だまり２２とを接続する塩化ビニル等の柔軟な透明チューブからなる第一の連結管２３と、前記液だまり２２と前記ヘッドセットユニット１３を接続する塩化ビニル等の透明チューブからなる柔軟な第二の連結管２４とを備えている。そして上記第一の連結管２３と、第二の連結管２４は抗菌剤か帯電防止剤あるいはその両方を含んでおり、それぞれは液だまり２２で着脱自在に接続されている。
【００３０】
また、前記ヘッドセットユニット１３は、耳当て部左２５と、耳当て部右２６と、耳当て部左２５と耳当て部右２６を接続するヘッドバンド２７と、酸素富化空気の吐出部２１と、耳当て部左２６の底面２８に着脱自在に連結され前記底面２８と吐出部２１を接続すると共に折り曲げ自在に設けられた可橈性自在継手部２９とを備えている。また、液だまり２２にその一端を接続された前記第二の連結管２４も、前記可橈性自在継手部２９同様、その他端を、ヘッドセットユニット１３の耳当て部左２５の底面２８に着脱自在に連結されている。
【００３１】
前記液だまり２２はＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。この時ねじ方式では１回転以内のねじりにより分離・結合が可能となるようにしてある。また、液だまり２２と第一の連結管２３との接続部、及び前記液だまり２２と第二の連結管２４との接続部から、それぞれ前記液だまり２２内に突き出た管部Ａ３０、管部Ｂ３１を設けるとともに、前記管部Ａ３０と管部Ｂ３１は、互いの管の中心軸をずらして設けてある。
【００３２】
一方、ヘッドセットユニット１３に設けた前記吐出部２１は、図１２に示す如く吐出部本体２１ａと蓋体２１ｂがバネラッチなどで開閉自在に構成され、その表面近傍の上流側に、ハニカム基材に酵素を添着したバイオ除菌フィルター等の除菌フィルター（以下、「バイオ除菌フィルター」と称す）３４を、表面近傍の下流側に、抗菌材アメニトップのＨＥＰＡフィルター等の高捕集効率フィルター（以下、「抗菌材アメニトップのＨＥＰＡフィルター」と称す）３５をそれぞれ有している。また、芳香剤を含浸した球状体４６を内蔵している。そして、前記バイオ除菌フィルター３４は、キャッチした菌などの活動を抑制し、さらにウイルスの活動も抑制する。また前記抗菌材アメニトップのＨＥＰＡフィルター３５は、０．３ミクロンの粒子を９９．７％除去すると共に、抗菌材アメニトップの働きで捕集した菌、カビの活動を制御するものであり、更に球状体４６は吐出空気に香をつけるものである。
【００３３】
また、３２は操作制御ユニット５１に設けられた運転スイッチであり、３３は、同じく操作制御ユニット５１に設けられ、選択されたタイマーによる運転時間あるいは送風運転の通電状態を表示するランプである。そして５０は操作制御ユニット５１に設けられ、高酸素濃度のいわゆる酸素富化空気の供給をしている）時のみ点灯表示する表示手段で、ＬＥＤで構成してあり、この実施の形態では緑色に光るように構成してある。
【００３４】
図１４、図１５に示す５２は、別の酸素富化空気吐出手段を示したもの（以下、「スタンドセットユニット」と称す）であり、前記スタンドセットユニット５２はヘッドセットユニット１３と同様に使用者が酸素富化空気を吸引するための吐出部２１を有している。また、本体１の側面に設けた吐出部１２または、操作制御ユニット５１に設けられた吐出部１２とスタンドセットユニット５２との間の経路には、液だまり２２を備えている。そして上記スタンドセットユニット５２と、操作制御ユニット５１に設けられた吐出部１２のそれぞれは液だまり２２と着脱自在に接続されている。
【００３５】
また、前記スタンドセットユニット５２は、前記液だまり２２と吐出部２１を接続すると共に折り曲げ自在に設けられた可橈性自在継手部５３とを備えている。
【００３６】
前記液だまり２２は同様にＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。また、それぞれ前記液だまり２２内に突き出た管部Ａ３０、管部Ｂ３１を設けるとともに、前記管部Ａ３０と管部Ｂ３１は、互いの管の中心軸をずらして設けてある。
【００３７】
一方、スタンドセットユニット５２に設けた前記吐出部２１は、図１５に示す如く吐出部本体２１ａと蓋体２１ｂがバネラッチなどで開閉自在に構成され、その表面近傍の上流側に、ハニカム基材に酵素を添着したバイオ除菌フィルター等の除菌フィルター（以下、「バイオ除菌フィルター」と称す）３４を、表面近傍の下流側に、抗菌材アメニトップのＨＥＰＡフィルター等の高捕集効率フィルター（以下、「抗菌材アメニトップのＨＥＰＡフィルター」と称す）３５をそれぞれ有している。そして、前記バイオ除菌フィルター３４は、キャッチした菌などの活動を抑制し、さらにウイルスの活動も抑制する。また前記抗菌材アメニトップのＨＥＰＡフィルター３５は、０．３ミクロンの粒子を９９．７％除去すると共に、抗菌材アメニトップの働きで捕集した菌、カビの活動を制御するものである。
【００３８】
また、３２は操作制御ユニット５１に設けられた運転スイッチであり、３３は、同じく操作制御ユニット５１に設けられ、選択されたタイマーによる運転時間あるいは送風運転の通電状態を表示するランプである。そして５０は操作制御ユニット５１に設けられ、高酸素濃度のいわゆる酸素富化空気の供給をしている）時のみ点灯表示する表示手段で、ＬＥＤで構成してあり、この実施の形態では緑色に光るように構成してある。
【００３９】
また、図１６は、要部概略構成図を示したもので、操作手段である操作制御ユニット５１を本体１から分離して配設した構成としてあり、５４は、電源コードで５５は、操作制御ユニット５１と本体１の間を着脱自在に連結する第三の連結管であり、第三の連結管５５は、本体１及び／または操作制御ユニット５１との間で着脱自在に連結されている。また更には、第三の連結管５５の中間に接続部を設けて着脱自在に連結してもよい。
【００４０】
５６は、操作制御ユニット５１と本体１の間を着脱自在に結線する通信手段であり、通信手段５６は、本体１及び／または操作制御ユニット５１との間で着脱自在に連結されている。また更には、通信手段５６の中間に接続部を設けて着脱自在に連結してもよい。
【００４１】
また、図１７は、要部概略構成図を示したもので、本体１から分離して配設した操作手段である操作制御ユニット５１からの制御信号を伝達または送受信する制御手段５７を前記本体１内に別に設けた場合の構成である。
【００４２】
また更には、図１８は、操作手段である操作制御ユニット５１を本体１から分離すると共に酸素富化状態の空気を本体から連結管で連結した吐出手段を介して使用者が吸引できる形態とした吐出手段であるスタンドセットユニット５２と操作制御ユニット５１を分離して設けた構成としたものである。
【００４３】
また、図１９は、操作手段である操作制御ユニット５１部を本体１に着脱自在に構成した場合を示す。
【００４４】
次に、上記構成に基づく本実施の形態の動作について、説明する。
【００４５】
操作制御ユニット５１部の運転スイッチ３２をＯＮ操作すると、ポンプ１０に動作電源を供給する制御手段（操作制御ユニット５１または制御手段５７）が動作し、通電状態を示すランプ３３が点灯すると共に、タイマーで設定した時間に応じてポンプ１０が運転し、かつファン９が作動する。そしてファン９の運転により本体１に設けた吸気口７より外気が吸引され、この外気は酸素富化膜ユニット２を通り、排気口８から本体外に排出される。一方、前記酸素富化膜ユニット２を通る外気はこれを通過する際、ポンプ１０の運転により空気が酸素富化膜ユニット２のフレーム３内に吸引され、その際酸素が通過しやすいところから酸素富化された空気となる。そしてこの酸素富化空気は吐出部１２に送出され、当該吐出部１２より吐出される。
【００４６】
上記吐出部１２より吐出される酸素富化空気は、第１、第２連結管２３、２４を介してヘッドセットユニット１３の吐出部２１より、またはスタンドセットユニット５２の吐出部２１より吐出される。したがって、使用者はヘッドセットユニット１３を頭部にセットし、可橈性自在継手部２９を動かして、またはスタンドセットユニット５２の可橈性自在継手部５３を動かして吐出部２１を使用者の口や鼻に近づけることにより、吐出部２１から吐出される酸素富化空気を、口や鼻から吸引できるようになる。
【００４７】
操作制御ユニット５１に本体１の運転状態を表示する表示部３３及び表示手段５０を設けた構成としてあり、操作制御ユニット５１部を確認することで本体１の運転状態を確認することができる。この時、操作制御ユニット５１に設けた表示手段５０はタイマーが設定され酸素富化空気が吐出していることにより緑色に点灯している。この緑色は人間工学的に見て安心感や安らぎを与えることから、使用者はこれをみてリラックス感を得ることができる。またここで使用者がタイマー設定せず運転スイッチ３２をＯＮ操作しただけではファン９のみが動作開始し、酸素富化空気は供給されないが、使用者は前記表示手段５０が点灯していないことによりこれを知ることができる。換言すれば上記表示手段５０は酸素富化空気が吐出しているときにだけ点灯するので、使用者や近くにいる人はこの酸素富化空気が吐出していることを確実に知ることができる。特にこの実施の形態では上記表示手段はポンプ１０の作動状態を表示するようにしたのでポンプやポンプ運転回路系の故障や異常を的確に知ることができる。
【００４８】
なお、上記実施の形態において、酸素富化空気吐出手段として、使用者が頭部に装着するヘッドセットユニット１３やスタンドセットユニット５２を例示したが、これに限定されるものではなく、首部あるいは肩部にかけるタイプでも支障がなく、また腕の一部や胴体の一部にマジックテープ（登録商標）等で巻きつけるタイプでも支障がなく、さらにネクタイ等の衣服の一部にピン等で止めるタイプでも支障がなく、もちろん防塵マスクのように耳等を使って顔の一部を覆うタイプでも支障がないものである。
【００４９】
また上記実施の形態では表示手段としてＬＥＤで構成したがランプ等であってもよく、また、点灯ではなく輝度を変えたり点滅させるなどしてもよく、所期の目的を達成するものであればどのように構成してもよいものである。
【００５０】
また、図１６の要部概略構成図に示す如く、操作手段である操作制御ユニット５１を本体１から分離して配設した構成としてあり、本体１から離れたところから本体１の運転、停止等の制御操作を行うことができるものであり、操作手段である操作制御ユニット５１及び本体１を各々ユニット化して机や椅子、ソファー等の家具に着脱自在とした構成としてあり、ユニット化された操作制御ユニット５１及び本体１を各種の机や椅子、ソファー等の家具内や健康器具等の器具内に着脱自在に取り付けて使用することができる。
【００５１】
５５は、操作制御ユニット５１と本体１の間を着脱自在に連結する第三の連結管であり、第三の連結管５５は、本体１及び／または操作制御ユニット５１との間で着脱自在に連結されている。また更には、第三の連結管５５の中間に接続部を設けて着脱自在に連結してもよい。上記により、操作手段である操作制御ユニット５１と本体１間の連結処理の作業を容易に行うことができる。
【００５２】
５６は、操作制御ユニット５１と本体１の間を着脱自在に結線する通信手段であり、通信手段５６は、本体１及び／または操作制御ユニット５１との間で着脱自在に連結されている。また更には、通信手段５６の中間に接続部を設けて着脱自在に連結してもよい。上記により、操作手段である操作制御ユニット５１と本体１間の配線処理の作業を容易に行うことができる。
【００５３】
また、図１７の要部概略構成図に示す如く、本体１から分離して配設した操作手段である操作制御ユニット５１からの制御信号を伝達または送受信する制御手段５７を前記本体１内に別に設けた構成とした場合、本体１内に別に制御手段５７を設けることにより、本体１から分離する操作制御ユニット５１を小型化することができる。また本体１内の制御手段５７と、本体１から分離した操作制御ユニット５１をワイヤレスとし、本体１の運転、停止等の制御操作を本体１から離れた遠隔操作とすることができる。
【００５４】
また更には、図１８の要部概略構成図に示す如く、操作手段である操作制御ユニット５１を本体１から分離すると共に酸素富化状態の空気を本体から連結管で連結した吐出手段を介して使用者が吸引できる形態とした吐出手段であるスタンドセットユニット５２と操作制御ユニット５１を分離して設けた構成としてあり、本体１の運転、停止等の制御操作を本体１から離れた遠隔操作とすることができる。
【００５５】
また、図１９の要部概略構成図に示す如く、操作手段である操作制御ユニット５１部を本体１に着脱自在とした構成とした場合、操作手段である操作制御ユニット５１部を各種の机や椅子、ソファー等の家具に取り付けて使用しない場合は、本体１に取り付けて使用することもできる。
【００５６】
（実施の形態２）
また、図２０、図２１は、第２の実施の形態を示すもので、操作手段である操作制御ユニット５１部を本体１の天面に一体に内臓した本体構成で、前記操作制御ユニット５１が机の表面に臨むように本体１を配設した構成としたものである。机の表面に露出した操作制御ユニット５１の運転スイッチ３２を操作して本体の運転操作を行うことができる。また、本体１の吐出部１２が机の表面に臨むように構成してあるため、机の表面に露出した吐出部１２に吐出手段であるヘッドセットユニット１３やスタンドセットユニット５２を接続して使用することができる。
【００５７】
また更には、机の表面に開閉自在の蓋体である扉５８を設け、前記扉５８の一部に開口部５９を形成した構成としてあるため、開口部５９を介して操作制御ユニット５１部が机の表面に臨むようにでき、かつまた扉５８を開閉することで本体１の出し入れを容易に行うことができる。
【産業上の利用可能性】
【００５８】
以上のように、本発明によれば、酸素富化機は、家具や器具、特に机に配設して使用する場合に有用である。
【図面の簡単な説明】
【００５９】
【図１】本発明の第１の実施の形態における酸素富化機を机に設けヘッドセットを用いた状態を示す概略構成図
【図２】同スタンドセットを用いた状態を示す概略構成図
【図３】同酸素富化機を示す本体の側面からみた断面図
【図４】同本体の背面からみた断面図
【図５】同本体の天面からみた断面図
【図６】同ポンプの取付け部を示す要部断面図
【図７】（ａ）同本体の正面図（ｂ）同本体の側面図（ｃ）同本体の背面図（ｄ）同本体の平面図
【図８】同酸素富化膜ユニットを構成するモジュールの分解斜視図
【図９】（ａ）同モジュールを複数枚並べた状態の外観斜視図（ｂ）同モジュールで構成される酸素富化膜ユニットの外観斜視図
【図１０】同酸素富化機のヘッドセットを操作手段に接続した状態示す外観斜視図
【図１１】同ヘッドセットを本体に接続した状態示す外観斜視図
【図１２】同ヘッドセットユニットにおける吐出部の詳細を表す断面図
【図１３】同酸素富化空気の供給経路の要部を示す概略構成図
【図１４】同酸素富化機のスタンドセットを操作手段に接続した状態示す外観斜視図
【図１５】同スタンドセットユニットにおける吐出部の詳細を表す断面図
【図１６】同操作手段を本体から分離した要部を示す概略構成図
【図１７】同本体内に別の制御手段を設けた要部を示す概略構成図
【図１８】同操作手段と吐出部を分離した要部を示す概略構成図
【図１９】同操作手段を本体に着脱自在にした要部を示す概略構成図
【図２０】本発明の第２の実施の形態における机の扉を開けた状態示す外観斜視図
【図２１】同本体を机に収納した状態示す外観斜視図
【符号の説明】
【００６０】
１    本体
２    酸素富化膜ユニット（酸素富化手段）
４    酸素富化膜
６    ユニット排出口
９    ファン（送風部）
１０  ポンプ（吸引手段）
１２  吐出部
１３  ヘッドセットユニット（酸素富化空気吐出手段）
２３  第一の連結管(チューブ)
２４  第二の連結管(チューブ)
５１  操作制御ユニット（操作手段）
５２  スタンドセットユニット（酸素富化空気吐出手段）
５５  第三の連結管
５６  配線コード
５７  制御手段
【図１】
2005046416.tif 000003
【図２】
2005046416.tif 000004
【図３】
2005046416.tif 000005
【図４】
2005046416.tif 000006
【図５】
2005046416.tif 000007
【図６】
2005046416.tif 000008
【図７】
2005046416.tif 000009
【図８】
2005046416.tif 000010
【図９】
2005046416.tif 000011
【図１０】
2005046416.tif 000012
【図１１】
2005046416.tif 000013
【図１２】
2005046416.tif 000014
【図１３】
2005046416.tif 000015
【図１４】
2005046416.tif 000016
【図１５】
2005046416.tif 000017
【図１６】
2005046416.tif 000018
【図１７】
2005046416.tif 000019
【図１８】
2005046416.tif 000020
【図１９】
2005046416.tif 000021
【図２０】
2005046416.tif 000022
【図２１】
2005046416.tif 000023